(57)【要約】      （修正有）【課題】簡素な構成で使用者（施術者）の身体に確実に装着することができ、装着することにより、自然に身体及び指先と被施術者との適正な距離を身につけることができ、正しい姿勢で効率的に施術を行うことを可能とし、短時間で理美容技術の習得、向上を図ることができる量産性、装着作業性、使用性に優れた理美容技術教習用姿勢保持具を提供する。【解決手段】使用者の胸部の前部に肩幅と平行に配設される可撓性部材２と、可撓性部材２を使用者の身体に着脱自在に固定する固定部材３と、を備えている。【選択図】図１
0003163782.tif 000002
【実用新案登録請求の範囲】
【請求項１】
使用者の胸部の前部に肩幅と平行に配設される可撓性部材と、前記可撓性部材を前記使用者の身体に着脱自在に固定する固定部材と、を備えたことを特徴とする理美容技術教習用姿勢保持具。
【請求項２】
前記固定部材が、前記可撓性部材の長手方向の２箇所に着脱自在に配設される連結具と、両端が前記連結具に連結されるバンド部と、を備えたことを特徴とする請求項１に記載の理美容技術教習用姿勢保持具。
【請求項３】
前記可撓性部材の長手方向の両端部に幅広に形成され前記使用者の肘に当接する肘当て部を備えたことを特徴とする請求項１又は２に記載の理美容技術教習用姿勢保持具。
【考案の詳細な説明】
【技術分野】
【０００１】
本考案は、使用者（施術者）が身体及び指先と被施術者との適正な距離や正しい姿勢を身につけることができ、短時間で理美容技術の習得、向上を図り、効率的な施術を可能とする理美容技術教習用姿勢保持具に関するものである。
【背景技術】
【０００２】
従来、美容師や理容師、特に美容師や理容師の練習生や初心者が整髪技術の基本となる髪のカット技術や、パーマネント用ロッドに髪を巻き付けるワインディング技術を習得する場合は、合成樹脂材等で造形した頭部模型に天然又は合成樹脂製の毛髪を植毛した練習用ウィッグが使用されている。練習用ウィッグを使って髪のカットを練習する場合は、カットする部分の毛髪を薄く分けとり指と指の間に毛髪を挟んで引き出し、引き出した毛髪の先端を鋏でカットすることにより、目的とするヘアスタイルを作るための姿勢、スタンス、目線、毛髪を分けとる角度、分けとった毛髪を指の間に挟んで引き出す角度、鋏でカットする長さや角度を習得するのである。これらは、所望されるヘアスタイルに応じて組み合わせ、使い分けられるので、ヘアカットの基本技術としてまず習得しなければならない技術である。
【０００３】
しかし、初心者は、イメージするヘアスタイルと、分けとった毛髪を引き出す角度やカット位置との関係がなかなか理解できず、また練習用ウィッグに対する姿勢やスタンスが不安定なため、分けとった毛髪を指の間に挟んで引き出す際に、姿勢やスタンスを変えるのではなく、自分では気付かないうちにカットし易いように毛髪の束を捻ったり、引き出す角度が一定にならずにばらばらになったりすることが多く、カットされた毛髪の毛先によって形成されるラインや面がギザギザになったり波を打ったような形になったりすることが多かった。練習用ウィッグでは、カットされた毛髪の毛先によって形成されるラインや面を確認しないことには、自分のカット技術が良いか否かを判断することができないため、カットの練習中に、初心者や練習生が自分自身で姿勢やスタンス等の基本技術の習得度を判定できなかった。そのため、自分に欠けている技術は何かを客観的に判定することができず、基本技術の習得に時間を要していた。
【０００４】
一方、初心者にこれらの技術を教える指導者は、目的とするヘアスタイルに対するカットの動作を見て、姿勢やスタンス、分けとった毛髪を指の間に挟んで引き出す角度等の基本技術について指導するが、これらの技術は自分が経験によって習得したものであるため、練習生や初心者に客観的に教えるのは極めて困難であった。また、指導を受けた練習生や初心者も、カットの動作の適否を客観的に判定する基準がないため、なかなか理解できず、基本技術の習得に時間を要していた。
これらの問題点を解決するために、本願考案者が鋭意研究して出願した（特許文献１）には、頭部模型に着脱可能に固着される固着部と、固着部に一端が接続された１乃至複数枚の帯状部と、を備えた理美容技術練習具が開示されている。
【先行技術文献】
【特許文献】
【０００５】
【特許文献１】ＷＯ２００８／０２３４７２
【考案の概要】
【考案が解決しようとする課題】
【０００６】
（特許文献１）の理美容技術練習具は、指の間に帯状部を挟んで引き出すときに捻れや水平方向の角度ずれがあると、帯状部に弛みが生じたりするので、捻れや角度ずれの有無を自分で判定することができ、帯状部の捻れや角度ずれが生じないように施術することで正しい姿勢やスタンス、手や鋏の位置等を習得することが可能であり、自分の癖や自分に欠けている技術を客観的に判定して動作の適否を理解することができ、正しいカットやワインディングの基本技術の習得に有用であった。
また、カットやワインディングの基本技術を教える指導者も、帯状部を捻らないように、また水平方向の角度ずれがなく帯状部を引き出すことができるように姿勢やスタンス、手や鋏の位置等を分かり易く指導することができ、指導を受けた練習生や初心者も、正しい動作を理解し易く、カット等の基本技術の指導に有用であった。
しかし、自分の癖や自分に欠けている技術を理解することや自分のカットやワインディングの動作の適否を客観的に判定することができても、正しい姿勢やスタンス、手や鋏の位置等を習得するには、指導者による適切な指導が必要であり、また癖などを矯正するためには繰り返し練習しなければならず、練習生や初心者が短時間で正しい技術や動作を身に付けることは困難であるという課題があった。
【０００７】
本考案は上記従来の課題を解決するもので、簡素な構成で使用者（施術者）の身体に確実に装着することができ、装着することにより、自然に身体及び指先と被施術者との適正な距離を身につけることができ、正しい姿勢で効率的に施術を行うことを可能とし、短時間で理美容技術の習得、向上を図ることができる量産性、装着作業性、使用性に優れた理美容技術教習用姿勢保持具を提供することを目的とする。
【課題を解決するための手段】
【０００８】
上記従来の課題を解決するために、本考案の理美容技術教習用姿勢保持具は以下のような構成を有している。
本考案の請求項１に記載の理美容技術教習用姿勢保持具は、使用者の胸部の前部に肩幅と平行に配設される可撓性部材と、前記可撓性部材を前記使用者の身体に着脱自在に固定する固定部材と、を備えた構成を有している。
この構成により、以下のような作用が得られる。
（１）使用者の胸部の前部に肩幅と平行に配設される可撓性部材を備えているので、使用者の胸部と肘との間に可撓性部材を挟むように装着することにより、カットやワインディングの練習中に可撓性部材で使用者の肘の前後方向の位置や動きを規制することができ、腕や手先だけを動かすのではなく、自然に体全体を動かして、使用者（施術者）の身体及び指先と被施術者との適正な距離を保つことができ、使用者（施術者）が正しい姿勢やスタンス、ステップ（足の運び）、手や鋏の位置等を短時間で簡便に身につけることができ、使用性、取扱い性に優れる。
（２）可撓性部材を使用者の身体に着脱自在に固定する固定部材を備えているので、簡便かつ確実に使用者の身体の所定の位置に可撓性部材を固定して、使用者の肘の前後方向の位置や動きを確実に規制することができ、装着作業性、動作の安定性に優れる。
【０００９】
ここで、可撓性部材は使用者の胸部と肘との間に挟むように装着され、使用者が肘を後方に動かそうとした時に前方に押し返すようにして、肘の位置や動きを規制する。可撓性部材は適度な柔軟性や弾力性などを有する合成ゴムや合成樹脂などにより弾性変形可能に形成することができ、必要に応じて、内部に金属製や合成樹脂製の芯材を入れてもよい。また、可撓性部材の形状は適宜、選択することができるが、棒状や長尺の板状に形成されたものが好適に用いられる。尚、可撓性部材は直線状や平板状に形成してもよいが、胸部の形に合わせて全体を予め湾曲させたり、胸部と接触する面に円弧状の凹部を形成したりしてもよい。また、胸部との接触面にクッション材を貼着する等して、変形時の傷みを和らげることもできる。
固定部材は、可撓性部材を使用者の身体に着脱自在に固定できるものであればよいが、肩から吊り下げるものや、背中にバンドやベルトを回して胴体に固定するものなどが好適に用いられる。
【００１０】
請求項２に記載の考案は、請求項１に記載の理美容技術教習用姿勢保持具であって、前記固定部材が、前記可撓性部材の長手方向の２箇所に着脱自在に配設される連結具と、両端が前記連結具に連結されるバンド部と、を備えた構成を有している。
この構成により、請求項１で得られる作用に加え、以下のような作用が得られる。
（１）固定部材が、可撓性部材の長手方向の２箇所に着脱自在に配設される連結具と、両端が連結具に連結されるバンド部を有することにより、使用者の体格などに応じて連結具の位置を容易に変更し、可撓性部材とバンド部との間に形成される隙間を調整して使用者の身体に確実に固定することができ、汎用性、固定の確実性に優れる。
（２）連結具が可撓性部材に着脱自在に配設されるので、胸の前で簡便に連結具を着脱したり、位置調整したりすることができ、着脱作業性、取扱い性に優れる。
【００１１】
ここで、連結具は可撓性部材に着脱できるものであればよいが、クリップなどで可撓性部材を挟持するものや可撓性部材の長手方向に摺動自在に嵌合するものなどが好適に用いられる。
また、バンド部を長さ調整自在にした場合、使用者の体格の違いなどに柔軟に対応することができ、汎用性、固定安定性に優れる。
【００１２】
請求項３に記載の考案は、請求項１又は２に記載の理美容技術教習用姿勢保持具であって、前記可撓性部材の長手方向の両端部に幅広に形成され前記使用者の肘に当接する肘当て部を備えた構成を有している。
この構成により、請求項１又は２で得られる作用に加え、以下のような作用が得られる。
（１）可撓性部材の長手方向の両端部に幅広に形成され使用者の肘に当接する肘当て部を備えることにより、肘当て部に肘を確実に当接させて可撓性部材を変形させ、肘の動きを確実に規制できると共に、使用者の肘にかかる負荷を低減することができ、動作の確実性、使用性に優れる。
【００１３】
ここで、肘当て部の形状は、円形状、楕円形状、矩形状など、適宜、選択することができる。また、肘が当接する当接面にクッション材などを貼着する等して肘の痛みを和らげることもできる。
【考案の効果】
【００１４】
以上のように構成された理美容技術教習用姿勢保持具によれば、以下のような効果が得られる。
請求項１に記載の考案によれば、以下のような効果を有する。
（１）使用者の胸部と肘との間に可撓性部材を挟むように使用者の身体に装着するだけで、可撓性部材で使用者の肘の前後方向の位置や動きを規制して、使用者（施術者）の身体及び指先と被施術者との適正な距離を保ち、使用者（施術者）が正しい姿勢を短時間で簡便に身につけることができる使用性、取扱い性に優れた理美容技術教習用姿勢保持具を提供することができる。
【００１５】
請求項２に記載の考案によれば、請求項１の効果に加え、以下のような効果を有する。
（１）使用者の体格などに応じて連結具の位置を容易に変更し、可撓性部材とバンド部との間に形成される隙間を調整して使用者の身体に確実に固定することができる汎用性、固定の確実性、着脱作業性に優れた理美容技術教習用姿勢保持具を提供することができる。
【００１６】
請求項３に記載の考案によれば、請求項１又は２の効果に加え、以下のような効果を有する。
（１）肘当て部に肘を確実に当接させて可撓性部材を変形させ、肘の動きを確実に規制でき、使用者の肘にかかる負荷を低減することができる動作の確実性、使用性に優れた理美容技術教習用姿勢保持具を提供することができる。
【図面の簡単な説明】
【００１７】
【図１】実施の形態１の理美容技術教習用姿勢保持具の斜視図
【図２】実施の形態１の理美容技術教習用姿勢保持具の装着状態を示す模式斜視図
【図３】実施の形態２の理美容技術教習用姿勢保持具の斜視図
【考案を実施するための形態】
【００１８】
（実施の形態１）
本考案の実施の形態１における理美容技術教習用姿勢保持具について、以下図面を参照しながら説明する。
図１は実施の形態１の理美容技術教習用姿勢保持具の斜視図である。
図１中、１は実施の形態１の理美容技術教習用姿勢保持具、２は金属製の芯材の周りを柔軟性や弾力性を有する合成ゴムや合成樹脂で被覆して棒状に形成された理美容技術教習用姿勢保持具１の可撓性部材、３は可撓性部材２を使用者の身体に着脱自在に固定する固定部材、４は可撓性部材２の長手方向の２箇所に着脱自在に配設された固定部材３の連結具、５は可撓性部材２に嵌合され長手方向に摺動自在な連結具４の嵌合部、６は嵌合部５に連設された連結具４のフック部、７は両端のリング部７ａがフック部６に係止されて連結具４に連結された固定部材３のバンド部である。
【００１９】
以上のように構成された実施の形態１の理美容技術教習用姿勢保持具の使用方法について説明する。
図２は実施の形態１の理美容技術教習用姿勢保持具の装着状態を示す模式斜視図である。
図２中、１０は実施の形態１の理美容技術教習用姿勢保持具１を装着した理容師や美容師などの使用者（施術者）、１０ａは使用者（施術者）１０の胸部、１０ｂは使用者（施術者）１０の背中、１１は使用者（施術者）１０の肘である。
図２に示すように、理美容技術教習用姿勢保持具１の可撓性部材２を使用者１０の胸部１０ａの前部に肩幅と平行に配設し、固定部材３のバンド部７を使用者１０の背中１０ｂに回し、連結具４のフック部６にリング部７ａを係止して装着する。
可撓性部材２の両端部を使用者１０の胸部１０ａと肘１１との間に挟むように装着することにより、使用者１０が肘１１を後方に動かそうとした時に、可撓性部材２が肘１１を前方に押し返すようにして、肘１１の位置や動きを規制する。この結果、肘１１の位置がほぼ固定されるため、自然に体全体を動かして使用者１０の身体及び指先と被施術者との距離を適正に保つことができ、正しい姿勢やスタンス、ステップ（足の運び）、手や鋏の位置等を短時間で効率的に習得することができる。
【００２０】
尚、可撓性部材２は直線状に形成する代わりに、胸部１０ａの形に合わせて全体を予め湾曲させてもよい。
固定部材３は、本実施の形態に限定されるものではなく、可撓性部材２を使用者１０の身体に着脱自在に固定できるものであればよく、肩から吊り下げるようにしてもよい。
また、固定部材３のバンド部７を長さ調整自在にした場合、使用者１０の体格の違いなどに柔軟に対応することができ、汎用性、固定安定性に優れる。
【００２１】
以上のように実施の形態１の理美容技術教習用姿勢保持具は形成されているので、以下の作用が得られる。
（１）使用者の胸部の前部に肩幅と平行に配設される可撓性部材を備えているので、使用者の胸部と肘との間に可撓性部材を挟むように装着することにより、可撓性部材で使用者の肘の前後方向の位置や動きを規制することができ、腕や手先だけを動かすのではなく、自然に体全体を動かして、使用者（施術者）の身体及び指先と被施術者との適正な距離を保つことができ、使用者（施術者）が正しい姿勢やスタンス、ステップ（足の運び）、手や鋏の位置等を短時間で簡便に身につけることができ、使用性、取扱い性に優れる。
（２）可撓性部材を使用者の身体に着脱自在に固定する固定部材を備えているので、簡便かつ確実に使用者の身体の所定の位置に可撓性部材を固定して、使用者の肘の前後方向の位置や動きを確実に規制することができ、装着作業性、動作の安定性に優れる。
（３）固定部材が、可撓性部材の長手方向の２箇所に着脱自在に配設される連結具と、両端が連結具に連結されるバンド部を有することにより、使用者の体格などに応じて連結具の位置を容易に変更し、可撓性部材とバンド部との間に形成される隙間を調整して使用者の身体に確実に固定することができ、汎用性、固定の確実性に優れる。
（４）連結具が可撓性部材に着脱自在に配設されるので、胸の前で簡便に連結具を着脱したり、位置調整したりすることができ、着脱作業性、取扱い性に優れる。
【００２２】
（実施の形態２）
図３は実施の形態２の理美容技術教習用姿勢保持具の斜視図である。尚、図３において、実施の形態１と同様のものには同じ符号を付して説明を省略する。
図３において、実施の形態２の理美容技術教習用姿勢保持具１ａが実施の形態１の理美容技術教習用姿勢保持具１と異なるのは、可撓性部材２ａが長尺の板状に形成され、可撓性部材２ａの長手方向の両端部に使用者１０の肘１１に当接する幅広の肘当て部２ｂが形成されている点と、固定部材３ａの連結具４ａが可撓性部材２ａを挟持するクリップ状の挟持部５ａを備えている点である。
【００２３】
実施の形態２の理美容技術教習用姿勢保持具１ａは、実施の形態１の理美容技術教習用姿勢保持具１と同様にして使用者１０の身体に装着することができるが、可撓性部材２ａが板状に形成されていることにより、耐久性、可撓性に優れる。また、幅広の肘当て部２ｂを有するので、肘１１との接触面積を拡大することができ、肘当て部２ｂに肘１１を当接させて可撓性部材２ａを確実に変形させることができると共に、使用者１０の肘１１の傷みや違和感を低減でき、使用性に優れる。
尚、可撓性部材２ａは平板状に形成する代わりに、胸部１０ａの形に合わせて全体を予め湾曲させたり、胸部１０ａと接触する面に円弧状の凹部を形成したりしてもよい。また、胸部１０ａとの接触面にクッション材を貼着する等して、変形時の傷みを和らげることもできる。
肘当て部２ｂの形状は、本実施の形態に限定されるものではなく、円形状や楕円形状など、適宜、選択することができる。また、肘１１が当接する当接面にクッション材などを貼着する等して肘の痛みを和らげることもできる。
【００２４】
以上のように実施の形態２の理美容技術教習用姿勢保持具は形成されているので、実施の形態１で得られる作用に加え、以下の作用が得られる。
（１）可撓性部材の長手方向の両端部に幅広に形成され使用者の肘に当接する肘当て部を備えることにより、肘当て部に肘を確実に当接させて可撓性部材を変形させ、肘の動きを確実に規制できると共に、使用者の肘にかかる負荷を低減することができ、動作の確実性、使用性に優れる。
【産業上の利用可能性】
【００２５】
本考案は、簡素な構成で使用者（施術者）の身体に確実に装着することができ、装着することにより、自然に身体及び指先と被施術者との適正な距離を身につけることができ、正しい姿勢で効率的に施術を行うことを可能とし、短時間で理美容技術の習得、向上を図ることができ、更に、美容師や理容師の練習生や初心者が手軽に利用して、正しい姿勢やスタンス、ステップ（足の運び）、手や鋏の位置等を短時間で簡便に身につけることができ、指導者の負担も軽減できる量産性、装着作業性、使用性に優れた理美容技術教習用姿勢保持具を提供することができる。
【符号の説明】
【００２６】
１，１ａ  理美容技術教習用姿勢保持具
２，２ａ  可撓性部材
２ｂ  肘当て部
３，３ａ  固定部材
４，４ａ  連結具
５  嵌合部
５ａ  挟持部
６  フック部
７  バンド部
７ａ  リング部
１０  使用者（施術者）
１０ａ  胸部
１０ｂ  背中
１１  肘
【図１】
0003163782.tif 000003
【図２】
0003163782.tif 000004
【図３】
0003163782.tif 000005